(57)【要約】      （修正有）【課題】前以て多くの前菜を準備することが出来るようにした前菜箱を提供する。【解決手段】前菜箱は外ケース１と仕切り容器２の２ピース構造とし、上記仕切り容器２には前菜を入れる為に仕切りを介して複数の収容部３，３・・・を形成し、該仕切り容器２は外ケース１に収容されると共に、上端面４は外ケース上端面５より低くし、そして外ケース１の底には脚７，７・・・を突出して積み重ねた場合に位置ズレすることがないようにしている。【選択図】図１
0003182112.tif 000002
【実用新案登録請求の範囲】
【請求項１】
前菜を収容する為の前菜箱であって、該前菜箱は外ケースと仕切り容器の２ピース構造とし、上記仕切り容器には前菜を入れる為に仕切りを介して複数の収容部を形成し、該仕切り容器は外ケースに収容されると共に、上端面は外ケース上端面より低くし、そして外ケースの底には脚を突出して積み重ねた場合に位置ズレすることがないようにしたことを特徴とする前菜箱。
【請求項２】
上記仕切り容器に形成した収容部の底を滑らかな凹状面とし、外ケースに収容した場合には、外ケースの底面に接触して載置した請求項１記載の前菜箱。
【考案の詳細な説明】
【技術分野】
【０００１】
本考案は複数種類の前菜を収容することが出来るように、仕切りを設けた前菜箱に関するものである。
【背景技術】
【０００２】
レストランや料亭、温泉旅館などで食事をする場合、最初に前菜が提供される。前菜とは食事の前に、又は酒の肴に食する簡単なつまみものであり、その種類は提供されるメイン料理によって様々である。
ところで、上記前菜は一般的に比較的大きくてほぼ平らな皿に複数種類が盛り付けして提供されが、例えば、温泉旅館などの宴会の席では、一度に多数の前菜を提供しなくてはならず、その為に、従来のような平坦な皿に盛り付けして提供することは不便である。
【０００３】
すなわち、大きな皿に前菜を盛り付けして準備する場合、上に積み重ねることが出来ない為に平坦面に並べなくてはならないことから、広いスペースが必要となる。また、大きくて平らな皿に各種前菜を盛り付けする際には、前菜の位置にバラツキが発生し、盛り付けされた全ての前菜皿が均一化しない。さらに、準備した前菜を宴会の席に運ぶ場合にも、お盆に積み重ねることが出来ず、その準備に時間がかかるといった、色々な問題がある。
【０００４】
ところで、従来において前菜専用の皿、前菜専用の器は存在せず、他の料理を盛り付けることが出来る皿や器を兼用している。その為に、前菜の盛り付けには手間がかかり、短時間で数多くの前菜を提供するには無理がある。図５は一般的な平坦皿に前菜を盛り付けした概略図を示している。
【０００５】
同図に示す皿は前菜専用の器ではないが、長方形の皿板（イ）には２本の細長い脚（ロ）、（ロ）を有している。従来、前菜はこのようなさらに盛り付けして宴会の席に提供される。該皿板（イ）に２〜３種類の前菜を盛り付けることは出来るが、その状態で積み重ねることは出来ず、また宴会の席へ運ぶ際にも盛り付けした前菜が位置ズレしないように注意を払わなくてはならない。
【考案の開示】
【考案が解決しようとする課題】
【０００６】
このように、従来の前菜を盛り付ける皿には上記のごとき問題がある。本考案が解決しようとする課題はこの問題点であり、大宴会に対応することが出来るように、前以て準備し、しかも準備した前菜を積み重ねることが可能な前菜箱を提供する。
【課題を解決するための手段】
【０００７】
本考案に係る前菜箱は仕切り容器と外ケースの組み合わせで構成している。材質は特に限定しないことにするが、一般的には樹脂製であり、外ケースの内に仕切り容器が収容される。仕切り容器には仕切りを介して複数の凹状収容部が設けられ、この収容部に各種前菜が盛り付けされる。ここで、仕切り容器の収容部の個数は限定しないこととし、また収容部の形状も限定しない。
【０００８】
そして、外ケースは仕切り容器を内部に収容可能な大きさとし、該仕切り容器は出し入れ自在と成っている。また、外ケースの高さは仕切り容器より大きくて、仕切りケースを外ケース内に収容した場合には、上端面との間に空間が形成される。また、外ケースの底には脚が下方へ突出して設けられ、その為に、外ケースは位置ズレすることなく積み重ねることが出来る。
【考案の効果】
【０００９】
本考案の前菜箱は外ケース内に仕切り容器を入れて構成し、仕切り容器には複数の収容部が設けられている。そこで、各種前菜は個々の凹状収容部に入れることが出来、従来の平坦な皿に盛り付けする場合に比較して便利である。すなわち、前菜を盛り付けする作業は不要となる。そして、仕切り容器は外ケースに入れられており、この状態で位置ズレすることなく積み重ねることが出来る。
【００１０】
従って、前菜を入れた数多くの前菜箱を前以て準備することが出来、また積み重ねることで大きなスペースは不要となる。そして、宴会場へ運ぶ際も複数の前菜箱を積み重ねることが出来るために便利である。特定の前菜は出す前に温まる必要がある場合も、仕切り容器は他の前菜を仕切りを介して混ざらないようになっている為に、温めて所定の収容部に入れることが出来る。
【図面の簡単な説明】
【００１１】
【図１】本考案の前菜箱を示す実施例で、（ａ）は平面図、（ｂ）は（ａ）のＡ−Ａ断面図。
【図２】前菜箱を積み重ねた状態。
【図３】本考案の前菜箱を示す他の実施例で、（ａ）は平面図、（ｂ）は（ａ）のＢ−Ｂ断面図。
【図４】本考案の前菜箱を示すさらなる別の実施例で、（ａ）は平面図、（ｂ）は（ａ）のＣ−Ｃ断面図。
【図５】前菜皿として使用される従来の一般的な器。
【考案を実施するための形態】
【００１２】
図１は本考案に係る前菜箱を示す実施例であり、（ａ）は平面図、（ｂ）は（ａ）のＡ−Ａ断面図を表し、同図に示すように該前菜箱は外ケース１と仕切り容器２とで構成している。外ケース１は長方形の箱体で上部は開口し、仕切り容器２は該外ケース１より一回り小さくて内部に嵌って収容されている。しかも、仕切り容器２は外ケース１に固定されることなく取外し自在と成っている。
【００１３】
上記仕切り容器２は８個の小さい収容部３，３・・・を有し、これら各収容部３，３・・・には前菜を入れることが出来る。そして、仕切り容器２の高さは外ケース１よりかなり低く、その為に仕切り容器２の上端面４と外ケース１の上端面５との間には大きな空間を形成している。収容部３から上方へはみ出して前菜を入れても、外ケース１の上端面５からははみ出さないようにしている。
【００１４】
ところで、仕切り容器２に形成している収容部３はその上部を四角形と成っているが、底部は滑らかに湾曲して外ケース１の底面６に接している。そして、外ケース１の底板四隅にはＬ型の脚７，７・・・が突出している、従って、別の外ケース１を重ねた場合、脚７，７・・・は外ケース１の上部開口に嵌合して位置決めされる。前以て準備した複数の前菜箱を積み重ねることが出来、大きなスペースを必要としない。図２は４つの前菜箱を積み重ねた場合を示している。
【００１５】
図３は本考案に係る前菜箱を示す他の実施例であり、（ａ）は平面図、（ｂ）は（ａ）のＢ−Ｂ断面図を表し、前記実施例の場合と同じく該前菜箱は外ケース８と仕切り容器９とで構成している。外ケース８は長方形の箱体で上部は開口し、仕切り容器９は外ケース８に嵌って収容されている。
【００１６】
上記仕切り容器９は３個の小さい収容部１０，１０・・・を有し、これら各収容部１０，１０・・・にはそれぞれ種類の異なる前菜を入れることが出来る。ここで、図１に示した仕切り容器２の収容部３は概略正方形であったが、収容部１０は長方形を成し、その容積を大きくしている。そして、仕切り容器９の高さは外ケース８よりかなり低く、その為に仕切り容器９の上端面１１と外ケース８の上端面１２との間には大きな空間を形成している。
【００１７】
ここで、外ケース１と外ケース８を同じサイズで同じ形状とし、仕切り容器２と仕切り容器９も縦横寸法、並びに高さ寸法を同じとするならば、外ケース１，８は兼用することが出来る。そして、収納する場合には、仕切り容器２及び仕切り容器９も積み重ねることが出来る。
【００１８】
図４は本考案に係る更なる別の実施例を示している。基本的な構造は前記実施例と同じであり、外ケース１３に仕切り容器１４が収容されている。そして、該仕切り容器１４には３個の大きな収容部１５，１５・・と３個の小さい収容部１６，１６・・が形成されている。そして、これら収容部１５，１６は円筒形をなして、底は平面としている。
【符号の説明】
【００１９】
１   外ケース
２   仕切り容器
３   収容部
４   上端面
５   上端面
６   底面
７   脚
８   外ケース
９   仕切り容器
10   収容部
11   上端面
12   上端面
13   外ケース
14   仕切り容器
15   収容部
16   収容部
【図１】
0003182112.tif 000003
【図２】
0003182112.tif 000004
【図３】
0003182112.tif 000005
【図４】
0003182112.tif 000006
【図５】
0003182112.tif 000007